(57)【特許請求の範囲】
【請求項１】
ＬＥＤ光源と、該ＬＥＤ光源で発生した熱を蓄熱する蓄熱部と、該蓄熱部に蓄熱した熱を放熱する複数の放熱フィンを有する放熱部と、前記ＬＥＤ光源の近傍に設けられた反射板とを備え、建築物に設置される照明装置であって、
前記放熱部は、当該照明装置により照明する空間と異なる部位に位置し、前記ＬＥＤ光源で発生した熱が、前記放熱部から、当該照明装置により照明する空間と異なる部位に放熱されるよう構成されており、
前記放熱フィンは、前記建築物の躯体内空間に露出するように設置され、前記躯体内空間を流れる空気により前記放熱フィンが冷却されるよう構成されており、
前記放熱部と前記反射板とが前記蓄熱部を介して互いに反対側に設けられていることを特徴とする照明装置。
【請求項２】
前記ＬＥＤ光源は、床またはその近傍、壁部またはその近傍、天井またはその近傍のうちのいずれかに設置されている請求項１に記載の照明装置。
【請求項３】
前記放熱部は、前記建築物の躯体内空間に放熱するよう構成されている請求項１または２に記載の照明装置。
【請求項４】
前記蓄熱部と、前記放熱部とが一体的に形成されている請求項１ないし３のいずれかに記載の照明装置。
【請求項５】
前記反射板と、前記蓄熱部と、前記放熱部とが一体的に形成されている請求項１ないし３のいずれかに記載の照明装置。
【請求項６】
前記蓄熱部は、前記ＬＥＤ光源を支持する支持部を兼ねる請求項１ないし５のいずれかに記載の照明装置。
【発明の詳細な説明】
【技術分野】
【０００１】
本発明は、ＬＥＤ光源を用いた建築物用の照明装置に関する。
【背景技術】
【０００２】
近年、ＬＥＤ光源の多色化や高輝度化が進み、照明装置としての利便性が向上可能であるとして、ＬＥＤ光源を用いた建築物用の照明装置が提案されている（例えば、特許文献１参照）。
【０００３】
図１８は、ＬＥＤ光源の構成例を示す図であり、図１８（Ａ）は、平面図、図１８（Ｂ）は、正面図、図１８（Ｃ）は、断面図である。
【０００４】
図１８に示すように、ＬＥＤ光源１１は、矩形板状の基盤１２と、基盤１２の一方の面（図１８（Ｃ）において上側の面）上に設けられた反射板１３と、ＬＥＤ素子１４と、蛍光体１５と、レンズ１６とを備えている。
【０００５】
基盤１２は、矩形の金属板が多層に積層されて形成されている。また、基盤１２には、プラス電極１７とマイナス電極１８とが、その多層の金属板の間に挟まれて取り付けられている。この場合、プラス電極１７とマイナス電極１８とが短絡（ショート）しないようになっている。また、基盤１２の主材料には、ＬＥＤ素子１４の熱を逃がし易い材料、すなわち、熱伝導率の高い、例えば、アルミニウムやアルミニウム系合金等の金属材料が用いられる。
【０００６】
また、反射板１３は、枠状をなし、基盤１２の外周部に設置されており、その内面において光を反射する。
【０００７】
また、ＬＥＤ素子１４は、反射板１３の内側、すなわち、基盤１２の中央部に設置されている。また、ＬＥＤ素子１４は、その下面にプラス電極１４ａおよびマイナス電極１４ｂを有している。このプラス電極１４ａおよびマイナス電極１４ｂは、それぞれ、基盤１２のプラス電極１７およびマイナス電極１８に接続されている。ＬＥＤ素子１４は、プラス電極１４ａおよびマイナス電極１４ｂを介して低電圧直流電流が供給されることにより点灯（発光）する。
【０００８】
また、蛍光体１５は、ＬＥＤ素子１４を覆うように形成されており、レンズ１６は、反射板１３の内面および蛍光体１５を覆うように形成されている。
【０００９】
【特許文献１】特開平１１−２６０１３４号公報
【発明の開示】
【発明が解決しようとする課題】
【００１０】
ところで、ＬＥＤ光源１１は、長寿命で省電力化にも貢献することができ、しかも、回路構成が簡素であるという利点を備えているものの、特に、長時間の連続した点灯時には、ＬＥＤ光源１１が発熱し、その温度が上昇して、ＬＥＤ光源１１の発光効率が減少してしまうという欠点がある。
【００１１】
このため、建築物用の照明装置の光源としてＬＥＤ光源１１を用いる場合には、ＬＥＤ光源１１で発生した熱を放熱することが好ましい。
【００１２】
しかしながら、ＬＥＤ光源１１（照明装置）により、例えば、所定の居住空間を照明する場合、ＬＥＤ光源１１で発生した熱をその居住空間に放熱すると、居住空間に熱がこもり、居住空間の温度が上昇してしまうという問題が発生する。
【００１３】
本発明の目的は、ＬＥＤ光源で発生した熱を効率良く放熱することができると共に、照明する空間の温度がその放熱により上昇してしまうのを防止することができる建築物用の照明装置を提供することにある。
【課題を解決するための手段】
【００１４】
このような目的は、下記（１）〜（６）の本発明により達成される。
（１）  ＬＥＤ光源と、該ＬＥＤ光源で発生した熱を蓄熱する蓄熱部と、該蓄熱部に蓄熱した熱を放熱する複数の放熱フィンを有する放熱部と、前記ＬＥＤ光源の近傍に設けられた反射板とを備え、建築物に設置される照明装置であって、
前記放熱部は、当該照明装置により照明する空間と異なる部位に位置し、前記ＬＥＤ光源で発生した熱が、前記放熱部から、当該照明装置により照明する空間と異なる部位に放熱されるよう構成されており、
前記放熱フィンは、前記建築物の躯体内空間に露出するように設置され、前記躯体内空間を流れる空気により前記放熱フィンが冷却されるよう構成されており、
前記放熱部と前記反射板とが前記蓄熱部を介して互いに反対側に設けられていることを特徴とする照明装置。
【００１５】
（２）  前記ＬＥＤ光源は、床またはその近傍、壁部またはその近傍、天井またはその近傍のうちのいずれかに設置されている上記（１）に記載の照明装置。
【００１６】
（３）  前記放熱部は、前記建築物の躯体内空間に放熱するよう構成されている上記（１）または（２）に記載の照明装置。
【００２２】
（４）  前記蓄熱部と、前記放熱部とが一体的に形成されている上記（１）ないし（３）のいずれかに記載の照明装置。
【００２４】
（５）  前記反射板と、前記蓄熱部と、前記放熱部とが一体的に形成されている上記（１）ないし（３）のいずれかに記載の照明装置。
【００２５】
（６）  前記蓄熱部は、前記ＬＥＤ光源を支持する支持部を兼ねる上記（１）ないし（５）のいずれかに記載の照明装置。
【発明の効果】
【００２７】
本発明によれば、ＬＥＤ光源で発生した熱を効率良く放熱することができ、これにより、ＬＥＤ光源の温度上昇による発光効率の減少を抑制（または防止）することができ、これによって、効率良く照明することができる。
【００２８】
また、ＬＥＤ光源で発生した熱は、照明装置により照明する空間と異なる部位に放熱されるので、照明装置により照明する空間の温度がその放熱により上昇してしまうのを防止することができる。
【発明を実施するための最良の形態】
【００２９】
以下、本発明の照明装置を添付図面に示す好適実施形態に基づいて詳細に説明する。
図１は、本発明の一実施形態に係る照明装置が設置された建築物の概略構造を示す断面図である。
【００３０】
なお、説明の都合上、図１において、上側を「上」、下側を「下」、左側を「左」、右側を「右」として説明する。また、図１中の上下方向が鉛直方向、左右方向が水平方向である。
【００３１】
図１に示すように、建築物としての住宅（家屋）２０は、２階建ての木造住宅（木造建築物）であり、３つの居住空間（室）２１、２２および２３や、この他の図示しない空間を画成する躯体３０を有している。居住空間２１〜２３としては、それぞれ、例えば、居間、寝室、キッチン、浴室、トイレ、玄関、廊下等、種々のものが挙げられる。以下の説明では、居住空間２１〜２３をイメージし易いように、それぞれ、室２１〜２３と言う。
【００３２】
躯体３０は、住宅２０の平面形状を規定する基台（基礎）３１と、この基台３１の外周を包囲するように立ち上がる外壁部（外壁）３２と、外壁部３２の上方に位置し、その外壁部３２および外壁部３２の内側を覆う屋根部（屋根）３３と、各室２１、２２および２３をそれぞれ画成（区画）する床２４、内壁部（内壁）２５および天井２６とを備えている。また、外壁部３２および屋根部３３の内面には、それぞれ、断熱材３４が積層されている（設けられている）。なお、例えば、外壁部３２の外方に、所定の空間（空隙）を介して、外壁部３２の全体または一部を覆う装飾パネル（例えば、サイディングボード等）を設けることも可能である。
【００３３】
躯体３０の内部には、躯体内空間４０が形成されている。この躯体内空間４０は、小屋空間４１、床下空間４２、ふところ空間４３、内壁空間（内壁空洞）４４、４５、４６が連通して形成される一続きの空間（連通空間）である。
【００３４】
小屋空間４１は、屋根部３３の下方に形成される空間、すなわち、屋根部３３と、室２１の天井２６および室２３の天井２６との間に形成される空間である。
【００３５】
床下空間４２は、基台３１と、室２２の床２４および室２３の床２４との間に形成される空間である。
【００３６】
ふところ空間４３は、隣接する上下の階の間（本実施形態では、１階と２階の間）に形成される空間、すなわち、室２１の床２４と、室２２の天井２６との間に水平方向に沿って形成される空間である。
【００３７】
内壁空間４４は、外壁部３２と、室２２の左側の内壁部２５および室２２の左側の内壁部２５との間に上下方向（鉛直方向）に沿って形成される空間である。
【００３８】
内壁空間４５は、室２１の右側の内壁部２５および室２２の右側の内壁部２５と、室２３の左側の内壁部２５との間に上下方向（鉛直方向）に沿って形成される空間である。
【００３９】
内壁空間４６は、外壁部３２と、室２３の右側の内壁部２５との間に上下方向（鉛直方向）に沿って形成される空間である。
【００４０】
また、住宅２０には、その住宅２０の外部から躯体内空間４０に空気（外気）を流入（導入）する換気部（流入部）３５と、躯体内空間４０内の空気を住宅２０の外部に流出（排出）する換気部（流出部）３６とが設けられている。
【００４１】
換気部３６は、屋根部３３の右側の頂上部（中央部）に形成され、小屋空間４１と外部とを連通する図示しない開口（空気の流出口）と、この開口を開閉する図示しないシャッタとで構成されている。
【００４２】
また、換気部３５は、左側の外壁部３２の下部に形成され、床下空間４２および内壁空間４４と、外部とを連通する図示しない開口（空気の流入口）と、この開口を開閉する図示しないシャッタとで構成されている。
【００４３】
なお、換気部３５と換気部３６とのいずれか一方または双方に、例えば、ファン等の送気装置を設けてもよい。
【００４４】
前記各シャッタは、それぞれ、図示しない駆動機構を有し、その駆動機構により駆動されて開閉するようになっている。
【００４５】
各シャッタが開くと、住宅２０の外部の空気が換気部３５から床下空間４２および内壁空間４４（躯体内空間４０）に流入し、その空気は、床下空間４２、内壁空間４４、４５、４６、ふところ空間４３、小屋空間４１（躯体内空間４０）を換気部３６に向って流れ、換気部３６から住宅２０の外部に流出する。これにより、躯体内空間４０を換気することができるとともに、躯体内空間４０内の熱エネルギーを放出することができ、さらに、躯体内空間４０内の湿気を除去することができる。これによって、躯体内空間４０、すなわち、住宅２０内の温度や湿度の上昇を抑制することができるとともに、その温度や湿度を均一化することができる。これにより、住宅２０において快適に生活することができ、また、住宅２０の耐久性を向上させることができる。
【００４６】
以下、本発明の照明装置の各実施形態を順次説明する。
＜第１実施形態＞
図２は、本発明の照明装置の第１実施形態を示す図であり、図２（Ａ）は、断面図、図２（Ｂ）は、斜視図である。
【００４７】
なお、説明の都合上、図２において、上側を「上」、下側を「下」、左側を「左」、右側を「右」として説明する。また、図２中の上下方向が鉛直方向、左右方向が水平方向である。
【００４８】
図２に示すように、照明装置５０は、室２２の床２４と内壁部２５とでなす巾木部分、すなわち、床２４の端部および内壁部２５の下端部に設置されており、内壁部２５の下端部に形成された開口から室２２を照明する。
【００４９】
照明装置５０は、複数のＬＥＤ（発光ダイオード）素子を有するＬＥＤ光源１１と、ＬＥＤ光源１１（特に、ＬＥＤ光源１１の背面側）で発生した熱を蓄熱（吸熱）する蓄熱部５１と、蓄熱部５１に蓄熱した熱を放熱する放熱部（ヒートシンク）５２と、ＬＥＤ光源１１の近傍に位置し、ＬＥＤ光源１１から発せられた（出射した）照明光束（光束）Ｐを反射する反射部（反射板）５３と、ＬＥＤ光源１１から発せられた照明光束Ｐを透過し、反射部５３等で形成された左側端部の開口を塞ぐ（覆う）透明板５４とを備えている。
【００５０】
図示例では、蓄熱部５１と、放熱部５２と、反射部５３とが、一体的に形成されている。これにより、照明装置５０を容易に製造することができる。
【００５１】
なお、蓄熱部５１、放熱部５２および反射部５３のうちのいずれか２つのみ（例えば、放熱部５２と反射部５３）が一体的に形成されていてもよく、また、すべてが別部材（別体）で形成されていてもよい。また、反射部５３は、蓄熱部５１や放熱部５２から離間していてもよい。
【００５２】
ＬＥＤ光源１１としては、図示例では、複数のＬＥＤ素子が紙面の奥行き方向（紙面に対して垂直な方向）に沿って直線状に配列され、パッケージ化されたものが用いられており、このため、照明装置５０の全体形状は、紙面の奥行き方向に長い長尺状をなしている。また、ＬＥＤ光源１１は、その光軸１１１の方向が下方を向いている。
【００５３】
このＬＥＤ光源１１は、蓄熱部５１等を介して、内壁部２５の外側（右側）であって、内壁部２５および床２４の近傍に設置されている。
【００５４】
また、ＬＥＤ光源１１は、図示しない導線（ケーブル）により図示しない電源部に接続されており、その電源部から電流（例えば、低電圧直流電流）が供給されると、駆動、すなわち、点灯（発光）する。
【００５５】
また、ＬＥＤ光源１１の照明光束Ｐの色、すなわち、各ＬＥＤ素子における発光色は、白色であってもよく、また、例えば、赤色、緑色、青色等の種々のカラー色であってもよい。
【００５６】
また、各ＬＥＤ素子における発光色は、同一であってもよく、また、異なっていてもよい（異なる色を任意に組み合わせてもよい）。
【００５７】
蓄熱部５１は、ＬＥＤ光源１１を支持（保持）する支持部（保持部）を兼ねており、ＬＥＤ光源１１は、その背面において、蓄熱部５１に支持（保持）されている。
【００５８】
この蓄熱部５１は、紙面の奥行き方向に長い板状をなしており、水平面と略平行になるように設置されている。
【００５９】
また、蓄熱部５１の厚みは、図示例のように、放熱部５２および反射部５３の厚みよりも厚く設定されるのが好ましい。これにより、蓄熱部５１の熱容量が大きくなり、蓄熱可能な熱量（蓄熱量）を大きくすることができる。
【００６０】
また、蓄熱部５１は、中実であってもよく、また、１つまたは複数の中空部を有していてもよい。
【００６１】
蓄熱部５１の構成材料としては、比熱（熱容量）や熱伝導率の大きいものを用いるのが好ましく、例えば、アルミニウム、アルミニウム系合金、ステンレス鋼等を用いることができる。
【００６２】
放熱部５２は、蓄熱部５１から上方に向って立設された複数（図示例では、３つ）の放熱フィンで構成されている。各放熱フィンは、板状をなし、互いに略平行に配置されている。
【００６３】
この放熱部５２は、内壁空間４５（照明装置５０により照明する空間と異なる部位）に位置しており、これにより、ＬＥＤ光源１１で発生し、蓄熱部５１に蓄熱（吸熱）した熱、すなわち、蓄熱部５１から伝達（伝熱）された熱は、放熱部５２から内壁空間４５（照明装置５０により照明する空間と異なる部位）に放熱される。
【００６４】
放熱部５２の構成材料としては、例えば、アルミニウム、アルミニウム系合金、ステンレス鋼等を用いることができる。
【００６５】
反射部５３は、その断面形状がＬ字状をなしており、蓄熱部５１から下方に向って立設されている。
【００６６】
この反射部５３の内面（ＬＥＤ光源１１が位置している側の面）が反射面であり、その反射面は、例えば、鏡面、光が乱反射する乱反射面等とすることができる。
【００６７】
また、反射部５３の内面の形状を、例えば、球面や、楕円面、放物面のような非球面等とすることにより、ＬＥＤ光源１１から発せられた照明光束Ｐの反射方向を自在に設定することもできる。
【００６８】
反射部５３の構成材料としては、例えば、アルミニウム、アルミニウム系合金、ステンレス鋼等を用いることができる。
【００６９】
この照明装置５０では、前記蓄熱部５１と、反射部５３と、透明板５４と、紙面手前側の図示しない部材と、紙面奥側の図示しない部材とにより、灯室５５が画成される。
【００７０】
また、透明板５４を設けることにより、その灯室５５が密閉される。これにより、室２２と灯室５５との間の通気を阻止することができ、室２２から灯室５５への塵や埃等の浸入を防止することができ、これによって、灯室５５内を常にクリーンな状態にすることができる。
【００７１】
この透明板５４は、室２２における使用目的や諸条件等に応じて有色透明としてもよいし、また、無色透明としてもよい。また、透明板５４としては、例えば、レンズや拡散板等の単数または複数の光学部品を用いてもよい。また、透明板５４は、省略されていてもよい。
【００７２】
透明板５４の構成材料としては、例えば、各種ガラスや、各種樹脂等を用いることができる。
【００７３】
次に、照明装置５０の作用（動作）について説明する。
照明装置５０のＬＥＤ光源１１が点灯（発光）すると、ＬＥＤ光源１１から照明光束Ｐが発せられる。この照明光束Ｐの一部は、透明板５４を透過し、室２２内に照射され、また、照明光束Ｐの他の一部は、反射部５３で反射し、透明板５４を透過し、室２２内に照射され、これにより室２２が照明される。この照明により、美的効果や癒し効果（リラクゼーション効果）が得られる。
【００７４】
一方、ＬＥＤ光源１１（特に、ＬＥＤ光源１１側）で発生した熱は、蓄熱部５１に蓄熱（吸熱）され、放熱部５２に伝達（伝熱）され、その放熱部５２から内壁空間４５に放熱される。この際、放熱部５２は、内壁空間４５を流れる空気により冷却され、効率良く、放熱することができる。
【００７５】
以上説明したように、この照明装置５０によれば、その照明により、美的効果や癒し効果（リラクゼーション効果）が得られる。
【００７６】
また、ＬＥＤ光源１１で発生した熱を効率良く放熱することができ、これにより、ＬＥＤ光源１１の温度上昇による発光効率の減少を抑制（または防止）することができ、これによって、効率良く照明することができる。
【００７７】
また、ＬＥＤ光源１１で発生した熱は、照明装置５０により照明する室２２と異なる部位である内壁空間４５に放熱されるので、室２２の温度がその放熱により上昇してしまうのを防止することができる。これにより、室２２において、快適に生活することができる。
【００７８】
なお、透明板５４を省略し、蓄熱部５１の灯室５５に対応する部位に、開口（貫通孔）を形成することで、室２２内の空気が、灯室５５に流入し、蓄熱部５１の開口を介して内壁空間４５に流出するように構成してもよい。
【００７９】
＜第２実施形態＞
図３は、本発明の照明装置の第２実施形態を示す断面図である。
【００８０】
なお、説明の都合上、図３において、上側を「上」、下側を「下」、左側を「左」、右側を「右」として説明する。また、図３中の上下方向が鉛直方向、左右方向が水平方向である。
【００８１】
以下、第２実施形態の照明装置６０について、前述した第１実施形態との違いを中心に説明し、同様の事項についてはその説明を省略する。
【００８２】
図３に示すように、第２実施形態の照明装置６０は、室２２の天井２６と内壁部２５とでなす天井周り縁部分、すなわち、天井２６の端部および内壁部２５の上端部に設置されており、内壁部２５の上端部に形成された開口から室２２を照明する。
【００８３】
ＬＥＤ光源１１は、蓄熱部５１等を介して、天井２６の端部の外側（右側）であって、内壁部２５および天井２６の近傍に設置されている。
【００８４】
放熱部５２は、ふところ空間４３に位置しており、これにより、ＬＥＤ光源１１で発生し、蓄熱部５１に蓄熱した熱、すなわち、蓄熱部５１から伝達された熱は、放熱部５２からふところ空間４３に放熱される。
この照明装置６０によれば、前述した第１実施形態と同様の効果が得られる。
【００８５】
＜第３実施形態＞
図４は、本発明の照明装置の第３実施形態を示す断面図である。
【００８６】
なお、説明の都合上、図４において、上側を「上」、下側を「下」、左側を「左」、右側を「右」として説明する。また、図４中の上下方向が鉛直方向、左右方向が水平方向である。
【００８７】
以下、第３実施形態の照明装置７０について、前述した第１実施形態との違いを中心に説明し、同様の事項についてはその説明を省略する。
【００８８】
図４に示すように、第３実施形態の照明装置７０は、室２２の内壁部２５の高さ方向（鉛直方向）の中途に設置されており、内壁部２５の途中に形成された開口から室２２を照明する。
【００８９】
ＬＥＤ光源１１は、蓄熱部５１等を介して、内壁部２５の途中の外側（右側）であって、内壁部２５の近傍に設置されている。
【００９０】
放熱部５２は、内壁空間４５に位置しており、これにより、ＬＥＤ光源１１で発生し、蓄熱部５１に蓄熱した熱、すなわち、蓄熱部５１から伝達された熱は、放熱部５２から内壁空間４５に放熱される。
この照明装置７０によれば、前述した第１実施形態と同様の効果が得られる。
【００９１】
＜第４実施形態＞
図５は、本発明の照明装置の第４実施形態を示す断面図である。
【００９２】
なお、説明の都合上、図５において、左側を「左」、右側を「右」として説明する。また、図５中の紙面に対して垂直な方向が鉛直方向、上下方向および左右方向が水平方向である。
【００９３】
以下、第４実施形態の照明装置８０ａ、８０ｂについて、前述した第１実施形態との違いを中心に説明し、同様の事項についてはその説明を省略する。
【００９４】
図５に示すように、第４実施形態の照明装置８０ａ、８０ｂは、それぞれ、室２２の内壁部２５に、その内壁部２５の高さ方向（鉛直方向）に沿って設置されており、内壁部２５の高さ方向沿って形成された開口から室２２を照明する。
【００９５】
内壁部２５は、その途中の２箇所で屈曲しており、右側の内壁部２５は、左側の内壁部２５よりも図５中上側に位置している。照明装置８０ａは、右側の内壁部２５に設置され、照明装置８０ｂは、右側の内壁部２５に設置されている。
【００９６】
照明装置８０ａは、２つのＬＥＤ光源１１を有している。各ＬＥＤ光源１１は、蓄熱部５１等を介して、内壁部２５に設置されている。また、各ＬＥＤ光源１１は、その光軸１１１の方向が図５中下方を向いている。
【００９７】
また、照明装置８０ａの放熱部５２は、内壁空間２０１に位置しており、これにより、ＬＥＤ光源１１で発生し、蓄熱部５１に蓄熱した熱、すなわち、蓄熱部５１から伝達された熱は、放熱部５２から内壁空間２０１に放熱される。
【００９８】
また、照明装置８０ａの反射部５３は、蓄熱部５１から図５中下方に向って立設され、互いに対向した１対の板体で構成されている。
【００９９】
照明装置８０ｂでは、ＬＥＤ光源１１は、蓄熱部５１等を介して、内壁部２５に設置されている。また、ＬＥＤ光源１１は、その光軸１１１の方向が図５中下方を向いている。
【０１００】
また、照明装置８０ｂの放熱部５２は、内壁空間２０１に位置しており、これにより、ＬＥＤ光源１１で発生し、蓄熱部５１に蓄熱した熱、すなわち、蓄熱部５１から伝達された熱は、放熱部５２から内壁空間２０１に放熱される。
【０１０１】
また、照明装置８０ｂの反射部５３は、その断面形状が略Ｌ字状をなしており、蓄熱部５１から図５中下方に向って立設されている。この場合、反射部５３の図５中下方側は、内壁部２５（蓄熱部５１）に対して所定角度傾斜している。この角度は、照明方向に応じて適宜設定される。なお、この反射部５３は、ＬＥＤ光源１１から発せられた照明光束Ｐのうちの直接光を遮る機能も有している。
【０１０２】
また、照明装置８０ｂの透明板５４は、内壁部２５（蓄熱部５１）に対して略垂直になるように設置されている。
【０１０３】
この照明装置８０ａ、８０ｂによれば、前述した第１実施形態と同様の効果が得られる。
【０１０４】
＜第５実施形態＞
図６は、本発明の照明装置の第５実施形態を示す断面図である。
【０１０５】
なお、説明の都合上、図６において、上側を「上」、下側を「下」、左側を「左」、右側を「右」として説明する。また、図６中の上下方向が鉛直方向、左右方向が水平方向である。
【０１０６】
以下、第５実施形態の照明装置９０ａ、９０ｂについて、前述した第１実施形態との違いを中心に説明し、同様の事項についてはその説明を省略する。
【０１０７】
図６に示すように、第５実施形態の照明装置９０ａ、９０ｂは、それぞれ、室２２の天井２６に設置されており、天井２６に形成された開口から室２２を照明する。
【０１０８】
ＬＥＤ光源１１は、蓄熱部５１等を介して、天井２６に設置されている。
放熱部５２は、ふところ空間４３に位置しており、これにより、ＬＥＤ光源１１で発生し、蓄熱部５１に蓄熱した熱、すなわち、蓄熱部５１から伝達された熱は、放熱部５２からふところ空間４３に放熱される。この場合、照明装置９０ａの放熱部５２は、蓄熱部５１から上方に向って立設された複数（図示例では、２つ）の放熱フィンで構成され、照明装置９０ｂの放熱部５２は、蓄熱部５１から上方に向って立設された１つの放熱フィンで構成されている。
【０１０９】
反射部５３は、蓄熱部５１から下方に向って立設され、互いに対向した１対の板体で構成されている。
【０１１０】
この照明装置９０ａ、９０ｂによれば、前述した第１実施形態と同様の効果が得られる。
【０１１１】
＜第６実施形態＞
図７は、本発明の照明装置の第６実施形態を示す断面図である。
【０１１２】
なお、説明の都合上、図７において、上側を「上」、下側を「下」、左側を「左」、右側を「右」として説明する。また、図７中の上下方向が鉛直方向、左右方向が水平方向である。
【０１１３】
以下、第６実施形態の照明装置１００について、前述した第１実施形態との違いを中心に説明し、同様の事項についてはその説明を省略する。
【０１１４】
図７に示すように、第６実施形態の照明装置１００は、室２２の床２４に設置されており、床２４に形成された開口から室２２を照明する。
【０１１５】
ＬＥＤ光源１１は、蓄熱部５１等を介して、床２４に設置されている。また、ＬＥＤ光源１１は、その光軸１１１の方向が上方を向いている。
【０１１６】
放熱部５２は、床下空間４２に位置しており、これにより、ＬＥＤ光源１１で発生し、蓄熱部５１に蓄熱した熱、すなわち、蓄熱部５１から伝達された熱は、放熱部５２から床下空間４２に放熱される。この放熱部５２は、蓄熱部５１から下方に向って立設された複数（図示例では、２つ）の放熱フィンで構成されている。
【０１１７】
反射部５３は、蓄熱部５１から上方に向って立設され、互いに対向した１対の板体で構成されている。
この照明装置１００によれば、前述した第１実施形態と同様の効果が得られる。
【０１１８】
＜第７実施形態＞
図８は、本発明の照明装置の第７実施形態を示す断面図である。
【０１１９】
なお、説明の都合上、図８において、上側を「上」、下側を「下」、左側を「左」、右側を「右」として説明する。また、図８中の上下方向が鉛直方向、左右方向が水平方向である。
【０１２０】
以下、第７実施形態の照明装置１１０について、前述した第１実施形態との違いを中心に説明し、同様の事項についてはその説明を省略する。
【０１２１】
図８に示すように、第７実施形態の照明装置１１０は、鉄骨住宅（鉄骨建築物）に設置されている。
【０１２２】
この鉄骨住宅は、図示しない鉄骨と、コンクリート（コンクリート材）で構成されたコンクリート壁４７とを有している。この場合、さらに鉄筋が設けられているのが好ましい。
【０１２３】
コンクリート壁４７における室２２の内壁部に対応する部位の内面（左面）には、例えば、仕上げ材等で構成された内壁部２５が設けられている。また、コンクリート壁４７における外壁部に対応する部位の外面（右面）には、例えば、仕上げ材等で構成された外壁部３２が設けられている。また、コンクリート壁４７における室２２の床に対応する部位の内面（上面）には、例えば、仕上げ材等で構成された床２４が設けられている。また、コンクリート壁４７における室２２の天井に対応する部位の内面（下面）には、例えば、仕上げ材等で構成された天井２６が設けられている（後述する第８実施形態を示す図９参照）。
【０１２４】
なお、コンクリート壁４７と内壁部２５との間、コンクリート壁４７と外壁部３２との間のいずれか一方には、断熱材が設けられているのが好ましい。
【０１２５】
また、前記各仕上げ材を、それぞれ、省略し、コンクリート壁４７自体が、それぞれ、内壁部２５、外壁部３２、床２４および天井２６を構成するようにしてもよい。
【０１２６】
照明装置１１０は、前述した第１実施形態の照明装置と同様に、室２２の床２４と内壁部２５とでなす巾木部分、すなわち、床２４の端部および内壁部２５の下端部に設置されており、内壁部２５の下端部に形成された開口から室２２を照明する。
【０１２７】
放熱部５２は、蓄熱部５１から上方に向って突出した複数（図示例では、３つ）のリブ（凸条）（放熱フィン）と、反射部５３から外側（右側）に向って突出した複数（図示例では、３つ）のリブ（凸条）（放熱フィン）とで構成されている。
【０１２８】
この放熱部５２は、コンクリート壁４７に埋め込まれている。なお、放熱部５２は、コンクリート壁４７に接触しているだけでもよい。
【０１２９】
ＬＥＤ光源１１で発生し、蓄熱部５１に蓄熱した熱、すなわち、蓄熱部５１から伝達された熱は、放熱部５２からコンクリート壁４７に放熱される。
この照明装置１１０によれば、前述した第１実施形態と同様の効果が得られる。
【０１３０】
なお、放熱部５２を図示しない鉄骨や鉄筋に接触させて、これら鉄骨や鉄筋に放熱するように構成してもよい。
【０１３１】
また、反射部５３の外側（右側）の面（外面）を平面にし、その反射部５３の外側の面を放熱部としてもよい。
【０１３２】
＜第８実施形態＞
図９は、本発明の照明装置の第８実施形態を示す断面図である。
【０１３３】
なお、説明の都合上、図９において、上側を「上」、下側を「下」、左側を「左」、右側を「右」として説明する。また、図９中の上下方向が鉛直方向、左右方向が水平方向である。
【０１３４】
以下、第８実施形態の照明装置１２０について、前述した第７実施形態との違いを中心に説明し、同様の事項についてはその説明を省略する。
【０１３５】
図９に示すように、第８実施形態の照明装置１２０は、室２２の天井２６と内壁部２５とでなす天井周り縁部分、すなわち、天井２６の端部および内壁部２５の上端部に設置されており、内壁部２５の上端部に形成された開口から室２２を照明する。
【０１３６】
ＬＥＤ光源１１は、蓄熱部５１等を介して、天井２６の端部の外側（右側）であって、内壁部２５および天井２６の近傍に設置されている。
この照明装置６０によれば、前述した第１実施形態と同様の効果が得られる。
【０１３７】
＜第９実施形態＞
図１０は、本発明の照明装置の第９実施形態を示す断面図である。
【０１３８】
なお、説明の都合上、図１０において、上側を「上」、下側を「下」、左側を「左」、右側を「右」として説明する。また、図１０中の上下方向が鉛直方向、左右方向が水平方向である。
【０１３９】
以下、第９実施形態の照明装置１３０について、前述した第７実施形態との違いを中心に説明し、同様の事項についてはその説明を省略する。
【０１４０】
図１０に示すように、第９実施形態の照明装置１３０は、室２２の内壁部２５の高さ方向（鉛直方向）の中途に設置されており、内壁部２５の途中に形成された開口から室２２を照明する。
【０１４１】
ＬＥＤ光源１１は、蓄熱部５１等を介して、内壁部２５の途中の外側（右側）であって、内壁部２５の近傍に設置されている。
この照明装置１３０によれば、前述した第７実施形態と同様の効果が得られる。
【０１４２】
＜第１０実施形態＞
図１１は、本発明の照明装置の第１０実施形態を示す断面図である。
【０１４３】
なお、説明の都合上、図１１において、上側を「上」、下側を「下」、左側を「左」、右側を「右」として説明する。また、図１１中の上下方向が鉛直方向、左右方向が水平方向である。
【０１４４】
以下、第１０実施形態の照明装置１４０ａ、１４０ｂについて、前述した第７実施形態との違いを中心に説明し、同様の事項についてはその説明を省略する。
【０１４５】
図１１に示すように、第１０実施形態の照明装置１４０ａ、１４０ｂは、それぞれ、室２２の天井２６に設置されており、天井２６に形成された開口から室２２を照明する。
ＬＥＤ光源１１は、蓄熱部５１等を介して、天井２６に設置されている。
【０１４６】
照明装置１４０ａの放熱部５２は、蓄熱部５１から上方に向って立設された複数（図示例では、２つ）の放熱フィンで構成され、照明装置９０ｂの放熱部５２は、蓄熱部５１から上方に向って立設された１つの放熱フィンで構成されている。
【０１４７】
反射部５３は、蓄熱部５１から下方に向って立設され、互いに対向した１対の板体で構成されている。
【０１４８】
この照明装置１４０ａ、１４０ｂによれば、前述した第７実施形態と同様の効果が得られる。
【０１４９】
＜第１１実施形態＞
図１２は、本発明の照明装置の第１１実施形態を示す断面図である。
【０１５０】
なお、説明の都合上、図１２において、上側を「上」、下側を「下」、左側を「左」、右側を「右」として説明する。また、図１２中の上下方向が鉛直方向、左右方向が水平方向である。
【０１５１】
以下、第１１実施形態の照明装置１５０について、前述した第７実施形態との違いを中心に説明し、同様の事項についてはその説明を省略する。
【０１５２】
図１２に示すように、第１１実施形態の照明装置１５０は、室２２の床２４に設置されており、床２４に形成された開口から室２２を照明する。
【０１５３】
ＬＥＤ光源１１は、蓄熱部５１等を介して、床２４に設置されている。また、ＬＥＤ光源１１は、その光軸１１１の方向が上方を向いている。
【０１５４】
放熱部５２は、蓄熱部５１から下方に向って立設された複数（図示例では、２つ）の放熱フィンで構成されている。
【０１５５】
反射部５３は、蓄熱部５１から上方に向って立設され、互いに対向した１対の板体で構成されている。
この照明装置１５０によれば、前述した第７実施形態と同様の効果が得られる。
【０１５６】
＜第１２実施形態＞
図１３は、本発明の照明装置の第１２実施形態を示す断面図である。
【０１５７】
なお、説明の都合上、図１３において、左側を「左」、右側を「右」として説明する。また、図１３中の紙面に対して垂直な方向が鉛直方向、上下方向および左右方向が水平方向である。
【０１５８】
以下、第１２実施形態の照明装置１６０について、前述した第７実施形態との違いを中心に説明し、同様の事項についてはその説明を省略する。
【０１５９】
図１３に示すように、第１２実施形態の照明装置１５０では、放熱部５２を住宅の外部に設置し、その熱放熱部５２から住宅の外部に放熱するようになっている。
【０１６０】
なお、図示例では、住宅は、鉄骨住宅であり、外壁部３２と内壁部２５との間に、コンクリート壁４７が設けられているが、これに限定されるものではなく、外壁部３２と内壁部２５との間は、例えば、グラスウール等の断熱材、木材、パネル、空間等であってもよい。これは、後述する第１３実施形態〜第１６実施形態についても同様である。
【０１６１】
照明装置１６０は、室２３の内壁部２５、コンクリート壁４７および外壁部３２に、これらの高さ方向（鉛直方向）に沿って設置されており、室２３を照明する。
【０１６２】
この照明装置１６０は、２つのＬＥＤ光源１１を有している。各ＬＥＤ光源１１は、蓄熱部５１等を介して、内壁部２５の内側であって、内壁部２５の近傍に設置されている。また、各ＬＥＤ光源１１は、その光軸１１１の方向が図１３中下方を向いている。
【０１６３】
また、蓄熱部５１には、図１３中上側に向って突出した板状部５１１が形成されている。
【０１６４】
また、放熱部５２は、板状部５１１の図１３中上側の端部に接続され、外壁部３２の外側（住宅の外部）に位置している。ＬＥＤ光源１１で発生し、蓄熱部５１に蓄熱した熱は、板状部５１１を介して放熱部５２に伝達され、放熱部５２から住宅の外部に放熱される。従って、板状部５１１は、熱を放熱部５２に伝達する伝熱部として機能する。
【０１６５】
放熱部５２の全体形状は、略板状をなしており、その図１３中上側の面には、図１３中上方に向って突出した複数（図示例では、５つ）のリブ（凸条）（放熱フィン）５２１が形成されている。
【０１６６】
また、蓄熱部５１の板状部５１１の左側の面および右側の面には、それぞれ、断熱材５６が設けられている。すなわち、板状部５１１の左側の面および右側の面は、それぞれ、断熱材５６により覆われており、断熱材に５６より覆われている部位からの放熱が阻止される。
【０１６７】
また、反射部５３は、蓄熱部５１から図１３中下方に向って立設され、互いに対向した１対の板体で構成されている。
この照明装置１６０によれば、前述した第７実施形態と同様の効果が得られる。
【０１６８】
なお、断熱材５６を省略してもよく、この場合は、板状部５１１からコンクリート壁４７に放熱され、板状部５１１は、放熱部として機能する。これにより、放熱効果を向上させることができる。
【０１６９】
＜第１３実施形態＞
図１４は、本発明の照明装置の第１３実施形態を示す断面図である。
【０１７０】
なお、説明の都合上、図１４において、上側を「上」、下側を「下」、左側を「左」、右側を「右」として説明する。また、図１４中の上下方向が鉛直方向、左右方向が水平方向である。
【０１７１】
以下、第１３実施形態の照明装置１７０について、前述した第７実施形態との違いを中心に説明し、同様の事項についてはその説明を省略する。
【０１７２】
図１４に示すように、第１３実施形態の照明装置１７０では、放熱部５２を住宅の外部に設置し、その熱放熱部５２から住宅の外部に放熱するようになっている。
【０１７３】
照明装置１７０は、室２３の天井２６、コンクリート壁４７および屋根部３３に設置されており、室２３を照明する。
【０１７４】
この照明装置１７０は、２つのＬＥＤ光源１１を有している。各ＬＥＤ光源１１は、蓄熱部５１等を介して、天井２６の下方であって、天井２６の近傍に設置されている。また、各ＬＥＤ光源１１は、その光軸１１１の方向が下方を向いている。
【０１７５】
また、蓄熱部５１には、上側に向って突出した板状部５１１が形成されている。
また、放熱部５２は、板状をなしており、板状部５１１の上側の端部に接続され、屋根部３３の外側（住宅の外部）に位置している。ＬＥＤ光源１１で発生し、蓄熱部５１に蓄熱した熱は、板状部５１１を介して放熱部５２に伝達され、放熱部５２から住宅の外部に放熱される。従って、板状部５１１は、熱を放熱部５２に伝達する伝熱部として機能する。
【０１７６】
また、蓄熱部５１の板状部５１１の左側の面および右側の面には、それぞれ、断熱材５６が設けられている。すなわち、板状部５１１の左側の面および右側の面は、それぞれ、断熱材５６により覆われており、断熱材に５６より覆われている部位からの放熱が阻止される。
【０１７７】
また、反射部５３は、蓄熱部５１から下方に向って立設され、互いに対向した１対の板体で構成されている。
この照明装置１７０によれば、前述した第７実施形態と同様の効果が得られる。
【０１７８】
なお、断熱材５６を省略してもよく、この場合は、板状部５１１からコンクリート壁４７に放熱され、板状部５１１は、放熱部として機能する。これにより、放熱効果を向上させることができる。
【０１７９】
＜第１４実施形態＞
図１５は、本発明の照明装置の第１４実施形態を示す断面図である。
【０１８０】
なお、説明の都合上、図１５において、上側を「上」、下側を「下」、左側を「左」、右側を「右」として説明する。また、図１５中の上下方向が鉛直方向、左右方向が水平方向である。
【０１８１】
以下、第１４実施形態の照明装置１８０について、前述した第７実施形態との違いを中心に説明し、同様の事項についてはその説明を省略する。
【０１８２】
図１５に示すように、第１４実施形態の照明装置１８０では、放熱部５２を住宅の外部に設置し、その熱放熱部５２から住宅の外部に放熱するようになっている。
【０１８３】
照明装置１８０は、室２３の床２４、コンクリート壁４７および基台３１に設置されており、室２３を照明する。
【０１８４】
この照明装置１８０は、２つのＬＥＤ光源１１を有している。各ＬＥＤ光源１１は、蓄熱部５１等を介して、床２４の上方であって、床２４の近傍に設置されている。また、各ＬＥＤ光源１１は、その光軸１１１の方向が上方を向いている。
【０１８５】
また、蓄熱部５１には、下側に向って突出した板状部５１１が形成されている。
また、放熱部５２は、板状部５１１の下側の端部に接続され、基台３１の外側（住宅の外部）に位置している。ＬＥＤ光源１１で発生し、蓄熱部５１に蓄熱した熱は、板状部５１１を介して放熱部５２に伝達され、放熱部５２から住宅の外部に放熱される。従って、板状部５１１は、熱を放熱部５２に伝達する伝熱部として機能する。
【０１８６】
放熱部５２の全体形状は、略板状をなしており、その下側の面には、下方に向って突出した１つのリブ（凸条）５２１が形成されている。
【０１８７】
また、蓄熱部５１の板状部５１１の左側の面および右側の面には、それぞれ、断熱材５６が設けられている。すなわち、板状部５１１の左側の面および右側の面は、それぞれ、断熱材５６により覆われており、断熱材に５６より覆われている部位からの放熱が阻止される。
【０１８８】
また、反射部５３は、蓄熱部５１から上方に向って立設され、互いに対向した１対の板体で構成されている。
この照明装置１８０によれば、前述した第７実施形態と同様の効果が得られる。
【０１８９】
なお、断熱材５６を省略してもよく、この場合は、板状部５１１からコンクリート壁４７に放熱され、板状部５１１は、放熱部として機能する。これにより、放熱効果を向上させることができる。
【０１９０】
また、本実施形態では、住宅の外部に放熱するようになっているが、これに限らず、例えば、床下空間４２に放熱するようになっていてもよい。
【０１９１】
＜第１５実施形態＞
図１６は、本発明の照明装置の第１５実施形態を示す断面図である。
【０１９２】
なお、説明の都合上、図１６において、上側を「上」、下側を「下」、左側を「左」、右側を「右」として説明する。また、図１６中の上下方向が鉛直方向、左右方向が水平方向である。
【０１９３】
以下、第１５実施形態の照明装置１９０について、前述した第７実施形態との違いを中心に説明し、同様の事項についてはその説明を省略する。
【０１９４】
図１６に示すように、第１５実施形態の照明装置１９０では、放熱部５２を外壁部３２の内側に形成された通気層４９に設置し、その熱放熱部５２から通気層４９に放熱するようになっている。
【０１９５】
照明装置１９０は、室２３の内壁部２５およびコンクリート壁４７に設置されており、室２３を照明する。
【０１９６】
この照明装置１９０は、２つのＬＥＤ光源１１を有している。各ＬＥＤ光源１１は、蓄熱部５１等を介して、内壁部２５の内側であって、内壁部２５の近傍に設置されている。また、各ＬＥＤ光源１１は、その光軸１１１の方向が水平方向内側（左側）を向いている。
【０１９７】
また、蓄熱部５１には、上側に向って突出し、互いに対向する１対の板状部５１１が形成されている。
【０１９８】
また、放熱部５２は、各板状部５１１の右側の端部に接続され、通気層４９内に位置している。ＬＥＤ光源１１で発生し、蓄熱部５１に蓄熱した熱は、各板状部５１１を介して放熱部５２に伝達され、放熱部５２から通気層４９に放熱される。従って、各板状部５１１は、熱を放熱部５２に伝達する伝熱部として機能する。
【０１９９】
放熱部５２の全体形状は、略板状をなしており、その右側の面には、右側に向って突出した複数（図示例では、４つ）のリブ（凸条）５２１が形成されている。
【０２００】
また、蓄熱部５１の各板状部５１１の上側の面および下側の面には、それぞれ、断熱材５６が設けられている。すなわち、各板状部５１１の上側の面および下側の面は、それぞれ、断熱材５６により覆われており、断熱材に５６より覆われている部位からの放熱が阻止される。
【０２０１】
また、反射部５３は、蓄熱部５１から水平方向内側（左側）に向って立設され、互いに対向した１対の板体で構成されている。
この照明装置１９０によれば、前述した第７実施形態と同様の効果が得られる。
【０２０２】
なお、断熱材５６を省略してもよく、この場合は、各板状部５１１からコンクリート壁４７に放熱され、各板状部５１１は、放熱部として機能する。これにより、放熱効果を向上させることができる。
【０２０３】
＜第１６実施形態＞
図１７は、本発明の照明装置の第１６実施形態を示す断面図である。
【０２０４】
なお、説明の都合上、図１７において、上側を「上」、下側を「下」、左側を「左」、右側を「右」として説明する。また、図１７中の上下方向が鉛直方向、左右方向が水平方向である。
【０２０５】
以下、第１６実施形態の照明装置２００について、前述した第７実施形態との違いを中心に説明し、同様の事項についてはその説明を省略する。
【０２０６】
図１７に示すように、第１６実施形態の照明装置２００では、放熱部５２を屋根部３３の内側に形成された通気層４９に設置し、その熱放熱部５２から通気層４９に放熱するようになっている。
【０２０７】
照明装置２００は、コンクリート壁４７に設置されており、室２３を照明する。
この照明装置２００は、２つのＬＥＤ光源１１を有している。各ＬＥＤ光源１１は、蓄熱部５１等を介して、コンクリート壁４７の内側であって、コンクリート壁４７の近傍に設置されている。また、各ＬＥＤ光源１１は、その光軸１１１の方向が屋根部３３に対して略垂直でかつ屋根部３３と反対の方向（図１７中の斜め右下方向）を向いている。
【０２０８】
また、蓄熱部５１には、屋根部３３に対して略垂直でかつ屋根部３３の方向（図１７中の斜め左上方向）に向って突出し、互いに対向する１対の板状部５１１が形成されている。
【０２０９】
また、放熱部５２は、各板状部５１１の上側の端部に接続され、通気層４９内に位置している。ＬＥＤ光源１１で発生し、蓄熱部５１に蓄熱した熱は、各板状部５１１を介して放熱部５２に伝達され、放熱部５２から通気層４９に放熱される。従って、各板状部５１１は、熱を放熱部５２に伝達する伝熱部として機能する。
【０２１０】
放熱部５２の全体形状は、略板状をなしており、その上側の面には、屋根部３３に向って突出した複数（図示例では、４つ）のリブ（凸条）５２１が形成されている。
【０２１１】
また、蓄熱部５１の各板状部５１１の右上側の面および左下側の面には、それぞれ、断熱材５６が設けられている。すなわち、各板状部５１１の右上側の面および左下側の面は、それぞれ、断熱材５６により覆われており、断熱材に５６より覆われている部位からの放熱が阻止される。
【０２１２】
また、反射部５３は、蓄熱部５１から屋根部３３に対して略垂直でかつ屋根部３３と反対の方向（図１７中の斜め右下方向）に向って立設され、互いに対向した１対の板体で構成されている。
この照明装置１９０によれば、前述した第７実施形態と同様の効果が得られる。
【０２１３】
なお、断熱材５６を省略してもよく、この場合は、各板状部５１１からコンクリート壁４７に放熱され、各板状部５１１は、放熱部として機能する。これにより、放熱効果を向上させることができる。
【０２１４】
以上、本発明の照明装置を、図示の実施形態に基づいて説明したが、本発明はこれに限定されるものではなく、各部の構成は、同様の機能を有する任意の構成のものに置換することができる。また、本発明に、他の任意の構成物が付加されていてもよい。また、本発明は、前記各実施形態のうちの、任意の２以上の構成（特徴）を組み合わせたものであってもよい。
【０２１５】
すなわち、本発明は、放熱部が、当該照明装置により照明する空間と異なる部位に位置し、ＬＥＤ光源で発生した熱が、放熱部から、照明装置により照明する空間と異なる部位に放熱されるよう構成されていればよい。
【０２１６】
この場合、ＬＥＤ光源が設置される部位（位置）としては、例えば、床またはその近傍、壁部（例えば、内壁部、外壁部等）またはその近傍、天井またはその近傍等が挙げられる。
【０２１７】
また、放熱部から熱を放出（放熱）する部位（位置）としては、例えば、建築物の躯体内空間（例えば、小屋空間４１、床下空間４２、ふところ空間４３、内壁空間（内壁空洞）等）、建築物の通気層、建築物を構成する所定の構成部材中、建築物の外部等が挙げられる。
【０２１８】
また、照明装置（ＬＥＤ光源）で照明する部位（位置）は、建築物の内部に限らず、建築物の外部であってもよい。この場合は、その照明により、防犯効果が得られる。
【０２１９】
また、本発明の照明装置の方式は、特に限定されず、例えば、直接照明方式でもよく、また、間接照明方式でもよい。
【０２２０】
また、本発明の照明装置が設けられる建築物は、２階建てに限らず、例えば、１階建て、または、３階建て以上であってもよい。また、例えば、地下室等が設けられていてもよい。
【０２２１】
また、本発明の照明装置が設けられる建築物は、住宅に限るものではなく、例えば、ビル等の他の建築物であってもよい。
【０２２２】
また、本発明の照明装置は、種々の形態の建築物に設けることができる。その建築物の形態としては、例えば、各種の木造建築物、各種の鉄骨建築物等が挙げられる。
【０２２３】
前記木造建築物としては、前記実施形態の他、例えば、パネル工法により建築されたもの等が挙げられる。
【０２２４】
また、前記鉄骨建築物としては、前記実施形態の他、例えば、コンクリート壁（コンクリート）を用いない構造のもの等が挙げられる。
【図面の簡単な説明】
【０２２５】
【図１】本発明の一実施形態に係る照明装置が設けられた建築物の概略構造を示す断面図である。
【図２】本発明の照明装置の第１実施形態を示す図であり、（Ａ）は、断面図、（Ｂ）は、斜視図である。
【図３】本発明の照明装置の第２実施形態を示す断面図である。
【図４】本発明の照明装置の第３実施形態を示す断面図である。
【図５】本発明の照明装置の第４実施形態を示す断面図である。
【図６】本発明の照明装置の第５実施形態を示す断面図である。
【図７】本発明の照明装置の第６実施形態を示す断面図である。
【図８】本発明の照明装置の第７実施形態を示す断面図である。
【図９】本発明の照明装置の第８実施形態を示す断面図である。
【図１０】本発明の照明装置の第９実施形態を示す断面図である。
【図１１】本発明の照明装置の第１０実施形態を示す断面図である。
【図１２】本発明の照明装置の第１１実施形態を示す断面図である。
【図１３】本発明の照明装置の第１２実施形態を示す断面図である。
【図１４】本発明の照明装置の第１３実施形態を示す断面図である。
【図１５】本発明の照明装置の第１４実施形態を示す断面図である。
【図１６】本発明の照明装置の第１５実施形態を示す断面図である。
【図１７】本発明の照明装置の第１６実施形態を示す断面図である。
【図１８】ＬＥＤ光源の構成例を示す図であり、（Ａ）は、平面図、（Ｂ）は、正面図、（Ｃ）は、断面図である。
【符号の説明】
【０２２６】
１１              ＬＥＤ光源
１１１            光軸
１２              基盤
１３              反射板
１４              ＬＥＤ素子
１４ａ            プラス電極
１４ｂ            マイナス電極
１５              蛍光体
１６              レンズ
１７              プラス電極
１８              マイナス電極
２０              住宅
２１、２２、２３  室（居住空間）
２４              床
２５              内壁部
２６              天井
３０              躯体
３１              基台
３２              外壁部
３３              屋根部
３４              断熱材
３５、３６        換気部
４０              躯体内空間
４１              小屋空間
４２              床下空間
４３              ふところ空間
４４、４５、４６、２０１  内壁空間（内壁空洞）
４７              コンクリート壁
４８              断熱材
４９              通気層
５０              照明装置
５１              蓄熱部
５１１            板状部
５２              放熱部
５２１            リブ
５３              反射部
５４              透明板
５５              灯室
５６              断熱材
６０、７０、８０ａ、８０ｂ、９０ａ、９０ｂ、１００、１１０、１２０、１３０、１４０ａ、１４０ｂ、１５０、１６０、１７０、１８０、１９０、２００  照明装置
Ｐ                照明光束
【図１】
0004638340.tif 000002
【図２】
0004638340.tif 000003
【図３】
0004638340.tif 000004
【図４】
0004638340.tif 000005
【図５】
0004638340.tif 000006
【図６】
0004638340.tif 000007
【図７】
0004638340.tif 000008
【図８】
0004638340.tif 000009
【図９】
0004638340.tif 000010
【図１０】
0004638340.tif 000011
【図１１】
0004638340.tif 000012
【図１２】
0004638340.tif 000013
【図１３】
0004638340.tif 000014
【図１４】
0004638340.tif 000015
【図１５】
0004638340.tif 000016
【図１６】
0004638340.tif 000017
【図１７】
0004638340.tif 000018
【図１８】
0004638340.tif 000019